(57)【特許請求の範囲】
【請求項１】
電気・電子機器用キャビネットに設けた円形換気孔に嵌合する雄ねじ筒部を後面に備えたルーバ本体と、一端に前記雄ねじ筒部に螺合する雌ねじ部を備えるとともに他端に雄ねじ部を備えたうえ内部を換気扇収納部に形成したリング部材と、該リング部材の雄ねじ部に螺合する雌ねじ部を設けた円形枠部をガード本体の周縁から張出したフィンガーガードからなり、前記ルーバ本体の雄ねじ筒部を円形換気孔の前面側から嵌合してリング部材の一端に備えた雌ねじ部を螺合してルーバ本体をキャビネットに取り付け、該リング部材の内部に形成した換気扇収納部に換気扇を収納してフィンガーガードの円形枠部に設けた雌ねじ部をリング部材の他端に備えた雄ねじ部に螺合して、前記リング部材とフィンガーガードにより換気扇を包み込むように取り付けたことを特徴とするルーバ。
【請求項２】
フィンガーガードの円形枠部に設けた雌ねじ部をリング部材の他端に備えた雄ねじ部に螺合する状態で、フィンガーガードが換気扇をルーバ本体に押圧させた請求項１に記載のルーバ。
【発明の詳細な説明】
【技術分野】
【０００１】
本発明は、電気・電子機器用キャビネット内の換気を行うためのルーバに関するものである。
【背景技術】
【０００２】
従来の電気・電子機器用キャビネット内を換気するためにキャビネット取り付けるルーバは、キャビネットに設けた換気用取付孔にルーバの後面に設けた雄ねじ筒部を外側から嵌めて、雌ねじ部を設けた締付リングを内側から雄ねじ筒部に螺合して取り付け、該締付リングの周縁に４個配設した取付座に換気扇をねじにより取り付けるものであった（例えば、特許文献１参照）。
【０００３】
ところが、この従来のものは、換気扇を締付リングの周縁に配設した４個の取付座ごとにドライバー等の工具によりねじ止めしなければならず作業性の悪いものであった。また、ルーバは締付リングによる締付のみによりキャビネットに取り付けられているため、運送時の振動や設置後の機械の振動等により締付リングの締め付けがゆるむ虞があった。
【特許文献１】実開平０６−３１１９７号公報
【発明の開示】
【発明が解決しようとする課題】
【０００４】
本発明は前記のような問題点を解決して、換気扇の取り付けが容易なルーバを提供する。
【課題を解決するための手段】
【０００５】
本発明のルーバ装置は、電気・電子機器用キャビネットに設けた円形換気孔に嵌合する雄ねじ筒部を後面に備えたルーバ本体と、一端に前記雄ねじ筒部に螺合する雌ねじ部を備えるとともに他端に雄ねじ部を備えたうえ内部を換気扇収納部に形成したリング部材と、該リング部材の雄ねじ部に螺合する雌ねじ部を設けた円形枠部をガード本体の周縁から張出したフィンガーガードからなり、前記ルーバ本体の雄ねじ筒部を円形換気孔の前面側から嵌合してリング部材の一端に備えた雌ねじ部を螺合してルーバ本体をキャビネットに取り付け、該リング部材の内部に形成した換気扇収納部に換気扇を収納してフィンガーガードの円形枠部に設けた雌ねじ部をリング部材の他端に備えた雄ねじ部に螺合して、前記リング部材とフィンガーガードにより換気扇を包み込むように取り付けたことを特徴とするものを基本の発明とする。
【０００６】
そして、前記の発明においてフィンガーガードの円形枠部に設けた雌ねじ部をリング部材の他端に備えた雄ねじ部に螺合する状態で、フィンガーガードが換気扇をルーバ本体に押圧させたものが好ましいものである。
【発明の効果】
【０００７】
前記のような本発明は、ルーバ本体の雄ねじ筒部を円形換気孔の前面側から嵌合してリング部材の一端に備えた雌ねじ部を螺合してルーバ本体をキャビネットに取り付けるものであるから取付作業は容易なものである。そして、換気扇は前記リング部材の内部に形成した換気扇収納部に収納してフィンガーガードの円形枠部に設けた雌ねじ部をリング部材の他端に備えた雄ねじ部に螺合して、前記リング部材とフィンガーガードにより換気扇を包み込むように取り付けたものであるので、換気扇の取り付けも容易である。
【０００８】
また、フィンガーガードの円形枠部に設けた雌ねじ部をリング部材の他端に備えた雄ねじ部に螺合する状態で、フィンガーガードが換気扇をルーバ本体に押圧させたものとすると、フィンガーガードは換気扇によりキャビネット外側方向への移動を規制されてその反力によりリング部材をキャビネット内側方向に引き寄せることとなる。そうすると、雄ねじ筒部のねじ山とこれに接触しているリング部材の雌ねじ部のねじ山が圧接されて、運送時の振動や設置後の機械の振動等により雄ねじ筒部とリング部材の雌ねじ部の螺合がゆるむことがないものである。
【発明を実施するための最良の形態】
【０００９】
次に、本発明の好ましい実施の形態を図面に基づき説明する。
図１において、１はルーバ本体であり、該ルーバ本体１の後面には電気・電子機器用キャビネット１００に設けた円形換気孔１０１に嵌合する雄ねじ筒部１１を備えている。
【００１０】
２はリング部材であり、該リング部材２は一端に前記雄ねじ筒部１１に螺合する雌ねじ部２１を備えるとともに他端に雄ねじ部２２を備えたうえ内部を換気扇収納部に形成したものである。そして、リング部材２は雌ねじ部２１を円形換気孔１０１の前面側から嵌合したルーバ本体１の雄ねじ筒部１１に螺合して該ルーバ本体１をパッキング５を介在させてキャビネット１００に取り付けるものである。この場合に図３―図４に示すようにリング部材２の外周に突起２３を複数配設したものであれば手指が引っ掛かりリング部材２を回しやすくなり螺合作業が容易なものとなる。
【００１１】
また、リング部材２内に換気扇３を他端の開口から収納して、リング部材２の他端に備えた雄ねじ部２２にフィンガーガード４の円形枠部４２に設けた雌ねじ部４１を螺合して、換気扇３を前記リング部材２とフィンガーガード４により包み込むように取り付けるものであり、換気扇３の取付作業が容易なものである。なお、前記フィンガーガード４は円形のガード本体４０の周縁から円形枠部４２を張出させて該円形枠部４２の内面に前記リング部材２の雄ねじ部２２に螺合する雌ねじ部４１を設けたものである。また、円形枠部４２の周縁には指掛けようの凹部４２ａを複数配設して雄ねじ部２２への螺合作業を容易なものとしている。
【００１２】
なお、図３に示すようにリング部材２の内周には前後方向の溝部２４を複数すなわち４個を等間隔に設けてあり、換気扇３を組込み時に換気扇３が図３、図４に示すように外郭を円筒形外郭３０のものとして周縁にリブ３０ａを複数すなわち４個突設したものであれば該リブ３０ａを溝部２４に係合して換気扇３の位置決め及び回り止めとしている。
【００１３】
また、前記のようにリング部材２の内周に前後方向の溝部２４を４個を等間隔に設けたものであれば、図５に示すように前後端に四角形状の取付用フランジ部３３を設けた換気扇３であってもフランジ部３３の角部３３ａを溝部２４に係合して換気扇３を位置決め及び回り止めして組み込むことができる。
【００１４】
さらに、リング部材２の他端側から中央向けたフィンガーガード４の円形枠部４２の深さより深い切欠部２５を複数設けて換気扇３の組込み時に電源線３２やアース端子３４を通過させた後にフィンガーガード４の円形枠部４２の先端との間に形成される孔部に電源線３２やアース端子３４を臨むものとしている。
【００１５】
また、フィンガーガード４は円形枠部４２に設けた雌ねじ部４１をリング部材２の他端に備えた雄ねじ部２２に螺合する状態で、フィンガーガード４が換気扇３をルーバ本体１に押圧させたものとしている。すなわち、換気扇３の前端面は雄ねじ筒部１１の後端面に当接させ、また、後端面はリング部材２の他端開口から突出した状態でフィンガーガード４のガード本体４０の内面と当接させて、フィンガーガード４の円形枠部４２に設けた雌ねじ部４１がリング部材２の雄ねじ部２２への締付ができるものとしている。
【００１６】
このような構成とすることにより、フィンガーガード４の円形枠部４２に設けた雌ねじ部４１がリング部材２の雄ねじ部２２への締付方向への螺合を続ければ、フィンガーガード４は換気扇３によりキャビネット外側方向への移動を規制されその反力によりリング部材２をキャビネット内側方向に引き寄せることとなる。そうすると、雄ねじ筒部１１のねじ山とこれに接触しているリング部材２の雌ねじ部２１のねじ山が圧接されて、運送時の振動や設置後の機械の振動等により雄ねじ筒部１１とリング部材２の雌ねじ部２の螺合うがゆるむことがないものである。
【図面の簡単な説明】
【００１７】
【図１】本発明の実施形態を示す縦断面図。
【図２】本発明の実施形態の要部を示す断面図。
【図３】本発明の実施形態を分解して示す斜視図。
【図４】本発明の実施形態をフィンガーガードを外して示す斜視図。
【図５】本発明の実施形態の他例をフィンガーガードを外して示す斜視図。
【符号の説明】
【００１８】
１  ルーバ本体
11  雄ねじ筒部
２  リング部材
21  雌ねじ部
22  雄ねじ部
３  換気扇
４  フィンガーガード
40  ガード本体
41  雌ねじ部
42  円形枠部
100  電気・電子機器用キャビネット
101  円形換気孔
【図１】
0004868540.tif 000002
【図２】
0004868540.tif 000003
【図３】
0004868540.tif 000004
【図４】
0004868540.tif 000005
【図５】
0004868540.tif 000006